(57)【要約】【課題】摘み部を視認し易くすることができると共に、容易に摘むことができる包装材を提供することを課題とする。【解決手段】包装体が形成される際に外側となる本体シートの表面に連結されて摘み部を形成する摘みシート片を更に備えており、該摘みシート片は、本体シートの表面側へ屈曲されて形成された屈曲部を境に二つ折りに形成されており、摘みシート片における屈曲部を境とする一方の領域は、本体シートに沿って配置されて本体シートにおける一対の切込端部間の領域に少なくとも一部が連結されており、摘みシート片における屈曲部を境とする他方の領域は、包装体が形成された状態で本体シートから離間するように配置される。【選択図】図１
2019182490.tif 000002
【特許請求の範囲】
【請求項１】
物品を包み込み可能な本体シートを備え、該本体シートは、線状に切り込まれて形成された切込部であって一方向に対して交差する他方向に間隔を空けて形成された一対の切込端部を備える切込部を備えており、
一対の切込端部を起点に前記一方向に延びる切断位置で本体シートが切断されることで前記他方向に分割可能に構成されており、
物品を包み込むことで包装体を形成する包装材であって、
包装体が形成される際に外側となる本体シートの表面に連結されて摘み部を形成する摘みシート片を更に備えており、
該摘みシート片は、本体シートの表面側へ屈曲されて形成された屈曲部を境に二つ折りに形成されており、
摘みシート片における屈曲部を境とする一方の領域は、本体シートに沿って配置されて本体シートにおける一対の切込端部間の領域に少なくとも一部が連結されており、
摘みシート片における屈曲部を境とする他方の領域は、包装体が形成された状態で本体シートから離間するように配置される包装材。
【請求項２】
前記屈曲部は、前記他方向に延びる線状に形成される請求項１に記載の包装材。
【請求項３】
前記切込部は、本体シートの外周端部よりも内側の領域であって、包装体が形成された際に物品と重なる領域に形成されており、
摘みシート片の一方の領域は、切込部を覆うように配置される請求項１又は２に記載の包装材。
【請求項４】
摘みシート片は、包装体が形成された際に、包装体の上端部に配置されるように構成されており、
摘みシート片の他方の領域は、包装体が形成された際に、上下方向に沿って配置される請求項１乃至３の何れか一項に記載の包装材。
【発明の詳細な説明】
【技術分野】
【０００１】
本発明は、物品を包み込む包装材に関する。
【背景技術】
【０００２】
例えば、おにぎり等の物品は、該物品を包み込む包装材によって包み込まれた状態で店頭販売等されている。斯かる包装材としては、一方向に対して交差する他方向に分割可能に構成されたものが知られている。例えば、物品を包み込むことが可能なサイズの本体シートと、前記一方向が長手となるように本体シートに貼り付けられたカットテープと、該カットテープと交差するように本体シート及びカットテープが切り込まれて形成された円弧状の切込部を備えるものが知られている（特許文献１参照）。
【０００３】
斯かる包装材では、円弧状の切込部の内側に形成される摘み部を摘んで、前記一方向の一端側から他端側へ向かって引っ張ることで、切込部の両端部を起点に本体シートがカットテープに沿って切断される。これにより、包装材は、前記他方向に分割されることになる。
【０００４】
このように構成される包装材で物品が包装されてなる包装体から物品を取り出す際には、包装体を手で把持した状態で、上述のように摘み部を摘んで引っ張ることで包装材を２つに分割し、分割された包装材の一方の側を他方の側から離間させることで包装材を物品から取り除く。これによって、包装材の内側から物品を取り出すことができる。
【先行技術文献】
【特許文献】
【０００５】
【特許文献１】特開２０１０−４２８４２号公報
【発明の概要】
【発明が解決しようとする課題】
【０００６】
しかしながら、上述のような包装材のように、円弧状の切込部の内側の領域によって摘み部が形成されると、該摘み部は、本体シートにおける摘み部周辺の領域に沿った状態で形成される。このため、包装体から物品を取り出す際に、摘み部を視認し難くなると共に、摘み部が摘み難いものとなる。
【０００７】
そこで、本発明は、摘み部を視認し易くすることができると共に、容易に摘むことができる包装材を提供することを課題とする。
【課題を解決するための手段】
【０００８】
本発明に係る包装材は、物品を包み込み可能な本体シートを備え、該本体シートは、線状に切り込まれて形成された切込部であって一方向に対して交差する他方向に間隔を空けて形成された一対の切込端部を備える切込部を備えており、一対の切込端部を起点に前記一方向に延びる切断位置で本体シートが切断されることで前記他方向に分割可能に構成されており、物品を包み込むことで包装体を形成する包装材であって、包装体が形成される際に外側となる本体シートの表面に連結されて摘み部を形成する摘みシート片を更に備えており、該摘みシート片は、本体シートの表面側へ屈曲されて形成された屈曲部を境に二つ折りに形成されており、摘みシート片における屈曲部を境とする一方の領域は、本体シートに沿って配置されて本体シートにおける一対の切込端部間の領域に少なくとも一部が連結されており、摘みシート片における屈曲部を境とする他方の領域は、包装体が形成された状態で本体シートから離間するように配置される。
【０００９】
斯かる構成によれば、摘みシート片における屈曲部を境とする一方の領域は、本体シートに沿って配置されて本体シートにおける一対の切込端部間の領域に少なくとも一部が連結される。また、摘みシート片における屈曲部を境とする他方の領域は、本体シートから離間するように配置される。このため、摘みシート片の他方の領域を摘んで前記一方向に引っ張ることで、本体シートの一対の切込端部間の領域が摘みシート片の一方の領域と共に、前記一方向に引っ張られる。これにより、本体シートが一対の切込端部を起点に前記一方向に延びる切断位置で切断されるため、包装材を前記他方向に分割することができる。
【００１０】
つまり、包装材を切断する際に、摘みシート片の他方の領域を摘み部として機能させることができる。また、摘みシート片の他方の領域が本体シートから離間するように配置されることで、摘みシート片の他方の領域（摘み部）を視認し易くすることができると共に、摘みシート片の他方の領域（摘み部）を容易に摘むことができる。
【００１１】
前記屈曲部は、前記他方向に延びる線状に形成されることが好ましい。
【００１２】
斯かる構成によれば、屈曲部は、前記他方向に延びる線状に形成される。このため、摘みシート片の他方の領域は、前記他方向に沿うように配置された状態で本体シートから離間した状態となる。これにより、摘みシート片の他方の領域を摘み部として摘んで前記一方向に引っ張る作業を容易に行うことができる。
【００１３】
前記切込部は、本体シートの外周端部よりも内側の領域であって、包装体が形成された際に物品と重なる領域に形成されており、摘みシート片の一方の領域は、切込部を覆うように配置されることが好ましい。
【００１４】
斯かる構成によれば、切込部は、本体シートの外周端部よりも内側の領域であって、包装材で物品を包み込んだ状態で物品と重なる領域に形成される。そして、摘みシート片の一方の領域は、切込部を覆うように配置される。これにより、包装材で物品を包み込んで包装体が形成された状態で、包装材の表面側から切込部を通って包装体の内側へ異物が侵入するのを防止することができる。
【００１５】
摘みシート片は、包装体が形成された際に、包装体の上端部に配置されるように構成されており、摘みシート片の他方の領域は、包装体が形成された際に、上下方向に沿って配置されることが好ましい。
【００１６】
斯かる構成によれば、摘みシート片は、包装体が形成された際に、包装体の上端部に配置されるように構成される。また、摘みシート片の他方の領域は、包装体が形成された際に、上下方向に沿って配置される。これにより、摘みシート片の他方の領域（摘み部）をより確実に視認することができると共に、摘みシート片の他方の領域（摘み部）をより摘み易くすることができる。
【発明の効果】
【００１７】
以上のように、本発明によれば、摘み部を視認し易くすることができると共に、容易に摘むことができる。
【図面の簡単な説明】
【００１８】
【図１】本発明の第一実施形態に係る包装材を示した斜視図。
【図２】同実施形態に係る包装材で物品が包装されて形成される包装体を示した正面図。
【図３】図２のＩ−Ｉ断面図。
【図４】本発明の第二実施形態に係る包装材を示した斜視図。
【発明を実施するための形態】
【００１９】
以下に、本発明に係る包装材の実施形態について、図面を参照しつつ説明する。なお、以下の図面において同一又は相当する部分には同一の参照符号を付しその説明は繰り返さない。また、以下の説明において、一方向とは、各図の座標軸におけるｘ軸に沿った方向であり、前記一方向に交差する他方向とは、各図の座標軸におけるｙ軸に沿った方向である。
【００２０】
＜第一実施形態＞
本実施形態に係る包装材１は、図１に示すように、シート状に形成され、米飯加工食品等（例えば、おにぎり等）の物品を包み込むように包装することで包装体を形成するものである。斯かる包装材１は、一方の面（以下、表面とも記す）が外側となるように、物品を包み込み可能な本体シート２と、該本体シート２の表面に連結されて摘み部３ａを形成する摘みシート片３と、本体シート２に重なるように配置されるカットテープ４とを備える。
【００２１】
本体シート２は、一方向（以下、第一方向とも記す）に延びる切断予定線（仮想線）上で切断可能に構成されることで、第一方向に対して交差する他方向（以下、第二方向とも記す）に分割可能に構成される。具体的には、本体シート２は、線状に切り込まれて（具体的には、外周端部よりも内側の領域が線状に切り込まれて）形成された切込部２ａを備える。該切込部２ａは、包装体が形成される際に（包装材１で物品を包み込んむ際に）、物品と重なる位置に形成される。また、切込部２ａは、第二方向に間隔を空けて形成された一対の切込端部２ｂ，２ｂを備える。本実施形態では、切込部２ａは、第一方向に開放する凹状に形成されており、両端部によって一対の切込端部２ｂ，２ｂが構成される。そして、本体シート２は、一対の切込端部２ｂ，２ｂを起点に第一方向に延びる切断予定線（仮想線）上で切断されることで第二方向に分割される。
【００２２】
摘みシート片３は、本体シート２の表面側へ屈曲されて形成された屈曲部３ｂを境に二つ折りに形成される。屈曲部３ｂは、第二方向に延びる線状に形成される。そして、摘みシート片３における屈曲部３ｂを境とする一方の領域３ｃは、本体シート２に沿って配置される。具体的には、摘みシート片３の一方の領域３ｃは、切込部２ａを覆うように配置される。そして、本体シート２における一対の切込端部２ｂ，２ｂ間の領域（具体的には、凹状の切込部２ａの内側の領域）に摘みシート片３の一方の領域３ｃの少なくとも一部が連結される。また、摘みシート片３における屈曲部３ｂを境とする他方の領域３ｄは、本体シート２から離間する（換言すれば、本体シートに対して交差する）ように配置される。そして、摘みシート片３の他方の領域３ｄが本体シート２から離間する（換言すれば、本体シートに対して交差する）ように配置されることで、該他方の領域３ｄによって摘み部３ａが形成される。
【００２３】
カットテープ４は、第一方向が長手となるように配置される。また、カットテープ４は、切込部２ａの近傍の領域であって一対の切込端部２ｂ，２ｂの間の領域（具体的には、凹状の切込部２ａの内側の領域）と重なるように配置される。また、カットテープ４は、切込部２ａと重なる位置で切断される。そして、カットテープ４は、切込部２ａの近傍の領域であって一対の切込端部２ｂ，２ｂの間の領域（具体的には、凹状の切込部２ａの内側の領域）と連結される。
【００２４】
上記のように構成される包装材１は、第二方向に分割可能に構成される。具体的には、第一方向における包装材１（換言すれば、本体シート２）の一端側から他端側へ向かって摘み部３ａ（即ち、摘みシート片３の他方の領域３ｄ）を引っ張ることで、一対の切込端部２ｂ，２ｂを起点にカットテープ４の外側の切断予定線上でカットテープ４に沿って本体シート２が切断される。これにより、包装材１が第二方向に分割される。
【００２５】
上記のように構成される包装材１を用いて物品を包装する際には、包装材１を物品の形状に沿って変形させて包み込む。具体的には、物品の一方の面側から該一方の面に対向する他方の面側に向かって包装材１を物品の形状に沿って変形させつつ該物品を包み込む。そして、包装材１の端部であって物品の他方の面上で重なる端部を覆うように商品情報等が印字されたラベル（図示せず）を貼り付ける。これにより、図２に示すように、包装材１で物品Ｘが包装された状態（包装体１０）が形成される。
【００２６】
本実施形態では、包装体１０が形成された状態において、摘みシート片３は、包装体１０の上端部に配置される。また、摘み部３ａ（即ち、摘みシート片３の他方の領域３ｄ）は、図３に示すように、本体シート２から離間した状態になると共に、上下方向に沿って配置される。そして、摘み部３ａ（即ち、摘みシート片３の他方の領域３ｄ）を摘んで、カットテープ４に沿って引っ張ることで、上述のように本体シート２が切断されて包装材１が第二方向に分割される。これにより、包装体１０の内側から物品Ｘを取り出すことができる。
【００２７】
以上のように、本実施形態に係る包装材１は、摘み部を視認し易くすることができると共に、容易に摘むことができる。
【００２８】
即ち、摘みシート片３における屈曲部３ｂを境とする一方の領域３ｃは、本体シート２に沿って配置されて本体シート２における一対の切込端部２ｂ，２ｂ間の領域に少なくとも一部が連結される。また、摘みシート片３における屈曲部３ｂを境とする他方の領域３ｄは、本体シート２から離間するように配置される。このため、摘みシート片３の他方の領域３ｄを摘んで第一方向に引っ張ることで、本体シート２の一対の切込端部２ｂ，２ｂ間の領域が摘みシート片３の一方の領域３ｃと共に、第一方向に引っ張られる。これにより、本体シート２が一対の切込端部２ｂ，２ｂを起点に第一方向に延びる切断位置で切断されるため、包装材１を第二方向に分割することができる。
【００２９】
つまり、包装材１を切断する際に、摘みシート片３の他方の領域３ｄを摘み部３ａとして機能させることができる。また、摘みシート片３の他方の領域３ｄが本体シート２から離間するように配置されることで、摘みシート片３の他方の領域３ｄ（摘み部３ａ）を視認し易くすることができると共に、摘みシート片３の他方の領域３ｄ（摘み部３ａ）を容易に摘むことができる。
【００３０】
屈曲部３ｂは、第二方向に延びる線状に形成される。このため、摘みシート片３の他方の領域３ｄは、第二方向に沿うように配置された状態で本体シート２から離間した状態となる。これにより、摘みシート片３の他方の領域３ｄを摘み部３ａとして摘んで第一方向に引っ張る作業を容易に行うことができる。
【００３１】
切込部２ａは、本体シート２の外周端部よりも内側の領域であって、包装材１で物品Ｘを包み込んだ状態で物品Ｘと重なる領域に形成される。そして、摘みシート片３の一方の領域３ｃは、切込部２ａを覆うように配置される。これにより、包装材１で物品Ｘを包み込んで包装体１０が形成された状態で、包装材１の表面側から切込部２ａを通って包装体１０の内側へ異物が侵入するのを防止することができる。
【００３２】
摘みシート片３は、包装体１０が形成された際に、包装体１０の上端部に配置されるように構成される。また、摘みシート片３の他方の領域３ｄは、包装体１０が形成された際に、上下方向に沿って配置される。これにより、摘みシート片３の他方の領域３ｄ（摘み部３ａ）をより確実に視認することができると共に、摘みシート片３の他方の領域３ｄ（摘み部３ａ）をより摘み易くすることができる。
【００３３】
＜第二実施形態＞
次に、本発明の第二実施形態に係る包装材１００について、図４を参照しつつ説明する。包装材１００は、第一実施形態の包装材１と比較して、本体シート２０の構成が異なる点、該本体シート２０に重なるように配置される内シート５を備える点で第一実施形態の包装材１と異なる。従って、以下では、第一実施形態の包装材１と異なる点について説明する。
【００３４】
本体シート２０は、切込部２ａが一対の切込線２ｃ，２ｃから構成される。該一対の切込線２ｃ，２ｃは、各一端部が本体シート２０の端縁（具体的には、第一方向の一端縁）に達するように形成されると共に、各他端部によって一対の切込端部２ｂ，２ｂが構成される。そして、摘みシート片３の一方の領域３ｃは、一対の切込線２ｃ，２ｃを覆うように配置されると共に、本体シート２０における一対の切込線２ｃ，２ｃの間の領域に少なくとも一部が連結される。カットテープ４は、一端部が一対の切込線２ｃ，２ｃの間に配置され、該一端部が本体シート２０における一対の切込線２ｃ，２ｃ間の領域に連結される。
【００３５】
内シート５は、本体シート２０の表面の反対側に位置する裏面側で本体シート２０に重なるように配置される。また、内シート５は、一対の内シート片５ａから構成される。また、内シート５は、第二方向の中央部側に位置する一対の内シート片５ａの端部同士が重なるように配置されて形成された重合部５ｂを備える。該重合部５ｂは、第一方向に延びるように形成されると共に、カットテープ４と重なるように配置される。そして、一対の内シート片５ａが第二方向の離間することで、内シート５が第二方向に分割可能となっている。
【００３６】
また、本体シート２０と内シート５との間には、シート状の物品（図示せず）を配置することができる。そして、該シート状の物品を囲むように、本体シート２０と、内シート５とが連結（例えば、ヒートシール）されて包装材１００が形成される。
【００３７】
斯かる包装材１００では、摘み部３ａ（摘みシート片３の他方の領域３ｄ）を摘んで、カットテープ４に沿って引っ張ることで、一対の切込端部２ｂ，２ｂを起点に本体シート２０がカットテープ４に沿って切断される。これにより、包装材１００が第二方向に分割されることになる。これにより、包装材１００における第二方向の一方の側と他方の側とを引き離すように引っ張ることで、本体シート２０と内シート５との間からシート状の物品が取り出される。このため、包装材１００で物品を包み込んだ状態で、上記のように、摘み部３ａ（摘みシート片３の他方の領域３ｄ）を摘んで引っ張ることで、包装材１００が第二方向に分割される。そして、包装材１００における第二方向の一方の側と他方の側とを引き離すように引っ張ることで、本体シート２０と内シート５との間からシート状の物品が取り出されつつ、包装されていた物品から包装材１００が取り除かれる。このため、包装されていた物品は、シート状の物品が巻き付いた状態で取り出されることになる。
【００３８】
なお、本発明に係る包装材は、上記実施形態に限定されるものではなく、本発明の要旨を逸脱しない範囲で種々の変更が可能である。また、上記した複数の実施形態の構成や方法等を任意に採用して組み合わせてもよく（１つの実施形態に係る構成や方法等を他の実施形態に係る構成や方法等に適用してもよく）、さらに、下記する各種の変更例に係る構成や方法等を任意に選択して、上記した実施形態に係る構成や方法等に採用してもよいことは勿論である。
【００３９】
例えば、上記実施形態では、切込部２ａは、円弧状に形成されているが、これに限定されるものではなく、コ字状やＵ字状であってもよく、直線状であってもよい。
また、上記実施形態では、切込部２ａを摘みシート片３の一方の領域３ｃが覆うように構成されているが、切込部２ａの近傍の領域であって一対の切込端部２ｂ，２ｂの間の領域に摘みシート片３の一方の領域３ｃが連結されていれば、これに限定されるものではない。
【００４０】
また、上記第一実施形態では、摘み部３ａ（摘みシート片３の他方の領域３ｄ）が包装体１０の上端部に位置するように構成されているが、これに限定されるものではなく、上端部よりも下方の位置（例えば、物品の一方の面と重なる位置）に、摘み部３ａ（摘みシート片３の他方の領域３ｄ）が配置されてもよい。
また、上記第二実施形態では、包装材１００は、内シート５を備えるように構成されているが、これに限定されるものではなく、内シート５を備えないように構成してもよい。
【符号の説明】
【００４１】
１，１００…包装材、２，２０…本体シート、２ａ…切込部、２ｂ…切込端部、２ｃ…切込線、３…摘みシート片、３ａ…摘み部、３ｂ…屈曲部、４…カットテープ、５…内シート、５ａ…内シート片、５ｂ…重合部、１０…包装体、Ｘ…物品
【図１】
2019182490.tif 000003
【図２】
2019182490.tif 000004
【図３】
2019182490.tif 000005
【図４】
2019182490.tif 000006